(57)【特許請求の範囲】
【請求項１】
鉄、亜鉛、マンガン又は銅の金属化合物から選択される１種以上を触媒として、１，２−ジブロモ−２−クロロ−１，１，２−トリフルオロエタンまたは１，２−ジブロモ−１，１，２，２−テトラフルオロエタンを発煙硫酸で分解してブロモジフルオロ酢酸フルオライドを得、しかる後にこれを低級アルコールと反応させることを特徴とするブロモジフルオロ酢酸エステルの製造法。
【請求項２】
金属化合物が酸化物又は硫酸塩である請求項１に記載の製造法。
【発明の詳細な説明】
【０００１】
【発明の属する技術分野】
本発明は、抗菌剤、拮抗薬等の医薬中間体として重要な物質であるブロモジフルオロ酢酸エステル類の製造方法に関するものである。さらに詳しくは、その中でも極めて重要な物質であるブロモジフルオロ酢酸の低級アルコールエステル、殊にエチルアルコールエステルの製造方法に関するものである。
【０００２】
【従来の技術】
ブロモジフルオロ酢酸エステルの製造方法としては、従来より、例えば、
（１）ジフルオロ酢酸エチル水銀と臭素との反応で製造する方法（Ｚｈ．Ｖｓｅｓ．Ｋｈｉｍ．Ｏｂｓｈｃｈｅｓｔ．，１６（１），１１４−１１５，１９７１）
（２）１，２−ジブロモ−２−クロロ−１，１，２−トリフルオロエタンを酸化第二水銀の存在下で、発煙硫酸により分解し、得られた酸フルオライドをアルコールと反応させる方法（Ｔｅｔｒａｈｅｄｒｏｎ，３３（１２），１４４５−１４４７，１９７７）
（３）ジフルオロ（フルオロスルホニルオキシ）酢酸フルオライドから得られたジフルオロ（フルオロスルホニルオキシ）酢酸エチルと求核剤との反応により製造する方法（Ｉｚｖ．Ａｋａｄ．Ｎａｕｋ．ＳＳＳＲ．Ｓｅｒ．Ｋｈｉｍ．，（６），１４３５−１４３７，１９８５）
なとが知られている。
【０００３】
しかしながら、（１）及び（２）の方法は水銀化合物を使用するもので、取扱上の問題或いは廃棄物処理等環境汚染の問題がある。また、（３）の方法では、入手が極めて困難か、或いは入手できるとしてもかなり高価になる原料を使用するという難点がある。
【０００４】
そこで、比較的容易に入手できる原料から水銀を使用せずにブロモジフルオロ酢酸エステルが得られれば環境汚染等の問題が解決できると判断される。
【０００５】
【発明が解決しようとする課題】
すなわち、本発明の目的は、比較的容易に入手できる１，２−ジプロモ−２−クロロ−１，１，２−トリフルオロエタンまたは１，２−ジブロモ−１，１，２，２−テトラフルオロエタンを原料として、環境保護の観点から問題の生じない方法でブロモジフルオロ酢酸エステルを収率良く得ることにある。
【０００６】
【課題を解決するための手段】
本発明は、鉄、亜鉛、マンガン又は銅の金属化合物から選択される１種以上を触媒として、１，２−ジブロモ−２−クロロ−１，１，２−トリフルオロエタンまたは１，２−ジブロモ−１，１，２，２−テトラフルオロエタンを発煙硫酸で分解してブロモジフルオロ酢酸フルオライドを得、しかる後にこれを低級アルコールと反応させることを特徴とするブロモジフルオロ酢酸エステルの製造法である。
【０００７】
本発明において出発原料として使用する１，２−ジブロモ−２−クロロ−１，１，２−トリフルオロエタンは、フッ素系ポリマーの中では歴史的に最も古いポリ（クロロトリフルオロエチレン）の原料モノマーとして使用されているクロロトリフルオロエチレンを臭素化することにより容易に入手できる。例えば、３０〜５０℃の温度でクロロトリフルオロエチレンと臭素とを反応させると９０％ 以上の収率（クロロトリフルオロエチレン基準）で１，２−ジブロモ−２−クロロ−１，１，２−トリフルオロエタンを得ることができる。また、クロロトリフルオロエチレンは、トリクロロトリフルオロエタン（ＣＦＣ−１１３）を液相又は気相で脱塩素することによって高収率で得られる物質である。
【０００８】
また、本発明で出発原料として使用する１，２−ジブロモ−１，１，２，２−テトラフルオロエタンは、テトラフルオロエチレンを臭素化することにより容易に入手できる。例えばテトラフルオロエチレンと臭素とを反応させると９０％以上の収率（テトラフルオロエチレン基準）で１，２−ジブロモ−１，１，２，２−テトラフルオロエタンを得ることができる。またテトラフルオロエタンは、１，２−ジクロロ−１，１，２，２−テトラフルオロエタン（ＣＦＣ−１１４）を亜鉛触媒で脱塩素することにより高収率で得られる物質である。
【０００９】
本発明で１，２−ジブロモ−２−クロロ−１，１，２−トリフルオロエタンまたは１，２−ジブロモ−１，１，２，２−テトラフルオロエタンを発煙硫酸で分解してブロモジフルオロ酢酸フルオライドを得る際に、触媒として使用する前記金属化合物は、酸化物又は硫酸塩であることが好ましく、さらには酸化第二鉄（Ｆｅ2Ｏ3）、硫酸第二鉄［Ｆｅ2（ＳＯ4）3］、酸化亜鉛（ＺｎＯ）及び硫酸亜鉛（ＺｎＳＯ4）が特に好ましい。また、触媒の好ましい添加量は原料である１，２−ジブロモ−２−クロロ−１，１，２− トリフルオロエタンまたは１，２−ジブロモ−１，１，２，２−テトラフルオロエタンに対してモル比で０．０１〜０．１ であることが好ましい。当該範囲より添加量が少ない場合は収率の低下等により本発明の効果が低減し、当該範囲より添加量が多い場合は特に問題はないものの、より以上の効果は得られず、経済的ではない。
【００１０】
次に、上記分解反応における発煙硫酸の添加量は１，２−ジブロモ−２−クロロ−１，１，２−トリフルオロエタンまたは１，２−ジブロモ−１，１，２，２−テトラフルオロエタンに対してモル比で１．２〜５．０ である。これより添加量が少ない場合は収率が低下する。多い場合については特に問題はないが、経済的ではない。
【００１１】
さらに、上記分解反応についての反応温度は６０〜１２０℃、反応時間は１５〜２５時間が好ましい範囲である。反応温度が６０℃より低くなると反応時間が極端に長くなり、また１２０℃を超えることにより原料である１，２−ジブロモ−２−クロロ−１，１，２−トリフルオロエタンが分解して副生物のクロロトリフルオロエチレンと臭素になる率が高くなり、あるいは原料である１，２−ジブロモ−１，１，２，２−テトラフルオロエタンが分解して副生物のテトラフルオロエチレンと臭素になる率が高くなり、いずれも好ましくない。また、反応時間は１５時間未満では転化率が低下するので好ましくない。さらに、２５時間を超えても反応の進行にはあまり変化はなく、これ以上長時間反応させる意味がないところから実用上の上限を２５時間とした。
【００１２】
以上のような条件下で１，２−ジブロモ−２−クロロ−１，１，２−トリフルオロエタンまたは１，２−ジブロモ−１，１，２，２−テトラフルオロエタンを発煙硫酸によって分解し、得られたブロモジフルオロ酢酸フルオライドを低級アルコール（好ましくは、副反応を防止するため乾燥した状態のもの、例えば、無水のエタノール）と接触させることによりエステル化反応を進行させる。このような接触は、先行の分解反応工程から気状で得られるブロモジフルオロ酢酸フルオライドを液状の低級アルコール中へ導入することにより容易に実施することができる。あるいは他の適当な接触装置、例えば充填塔を用いて両者を向流接触させることも可能である。
【００１３】
本発明において使用しうる低級アルコールとしては、好ましくは低級アルカノール、例えばメタノール、エタノール、プロパノール（ｎ−及びｉｓｏ−）等であり、特に医薬中間体として好ましいものはエタノールである。
【００１４】
上記エステル化反応の結果得られる目的生成物のブロモジフルオロ酢酸エステルは、蒸留法によって高純度で分離精製できる。
【００１５】
本発明方法によって得られるブロモジフルオロ酢酸エステルの収率は前記の酸化第二水銀を触媒として使用する方法を上回り、しかも本方法においては生ずる廃棄物の処理が容易であり、経済的に有利な量産化技術である。
【００１６】
本発明方法は回分式または連続式で実施できる。
【００１７】
【実施例】
以下に、実施例及び比較例により、本発明をさらに具体的に説明する。
【００１８】
（実施例１）
ガス排出管及び温度計を装備した、容量３００ｍｌの撹拌機付ガラス製三つ口フラスコに１，２−ジブロモ−２−クロロ−１，１，２−トリフルオロエタン１６６ｇ（０．６ｍｏｌ）と６０％発煙硫酸１２０ｇ（０．９ｍｏｌ）を仕込み、次いで触媒として酸化第二鉄粉末４．８ｇを添加した。また、ガス排出管は空トラップを経由して、無水エタノール３０ｍｌが入っている吸収瓶に接続した。  次に反応液を撹拌しながら、温度を７８〜８１℃の範囲に保って２１時間反応させた。反応により生成したガスは吸収瓶に導き、無水エタノールと反応させた。
反応終了後、生成液を蒸留精製して、純度９９．８％のブロモジフルオロ酢酸エチル１０３ｇを得た（収率８５％）。
【００１９】
（実施例２〜６）
触媒として酸化亜鉛、酸化マンガン、酸化銅、硫酸鉄及び硫酸亜鉛を使用し、実施例１と同様の方法によりブロモジフルオロ酢酸エチルを製造した。
実施例１及び２〜６の反応条件及び結果を表１にまとめた。
【００２０】
（比較例１）
触媒として酸化第二水銀を使用し、実施例１と同様の方法でブロモジフルオロ酢酸エチルを製造した。この反応条件及び結果も表１にまとめた。
【００２１】
【表１】
0003998766.tif 000002
【００２２】
（実施例７）
ガス排出管及び温度計を装備した、容量３００ｍｌの撹拌機付ガラス製三つ口フラスコに１，２−ジブロモ−１，１，２，２−テトラフルオロエタン１５６ｇ（０．６ｍｏｌ）と６０％発煙硫酸１２０ｇ（０．９ｍｏｌ）を仕込み、次いで触媒として酸化第二鉄粉末４．８ｇを添加した。また、ガス排出管は空トラップを経由して、無水エタノール３０ｍｌが入っている吸収瓶に接続した。
次に反応液を撹拌しながら、温度を７８〜８０℃の範囲に保って２０時間反応させた。反応により生成したガスは吸収瓶に導き、無水エタノールと反応させた。
反応終了後、生成液を蒸留精製して、純度９９．６％のブロモジフルオロ酢酸エチル１００ｇを得た（収率８２％）。
【００２３】
（実施例８〜１２）
触媒として酸化亜鉛、酸化マンガン、酸化銅、硫酸鉄及び硫酸亜鉛を使用し、実施例７と同様の方法によりブロモジフルオロ酢酸エチルを製造した。
実施例７及び８〜１２の反応条件及び結果を表２にまとめた。
【００２４】
（比較例２）
触媒として酸化第二水銀を使用し、実施例７と同様の方法でブロモジフルオロ酢酸エチルを製造した。この反応条件及び結果も表２にまとめた。
以上の実施例ではアルコールとしてエタノールを用いてエチルエステルを得る場合を例示したが、他の低級アルコールをエタノールの代りに同様に使用することが可能である。
【００２５】
【表２】
0003998766.tif 000003
【００２６】
【発明の効果】
以上の記載及び例示からも明らかなように、本発明による触媒は従来の水銀触媒と比較して、同様な反応条件下で使用される場合に目的生成物の改善された収率をもたらす。さらには、本発明によれば従来の水銀触媒使用あるいは水銀含有出発原料使用における取扱上の問題あるいは廃棄物処理等による環境汚染問題が解消される。